(57)【特許請求の範囲】
【請求項１】
合成樹脂で塑造されたウエイトホルダと、該ウエイトホルダ内に収容できるよう金属丸棒を切断したウエイト材とからなり、上記ウエイトホルダは、円筒体が縦方向に二つ割りでその一側部がヒンジ状の連接部となり、該ヒンジ状の連接部を支軸として円筒状に閉合されたときに衝き合わされる衝合部において、一方の半円筒体に付設された係止爪と対抗して、他方の半円筒体には係止孔が付設され、一方の半円筒体の上面に立設された板体と、他方の半円筒体上の板体との対向接合面間にケーブル挟着機構が形成されるよう、両板体にそれぞれケーブル圧入溝を凹設し、一方の板体に付設された係止爪と対抗して、他方の板体には係止孔が付設され、かつ、両板体に締付用ビス孔が穿設されており、半円筒体の内面にウエイト材を収容した状態で、各係止爪をそれぞれ対抗する係止孔に係合させて両半円筒体を円筒状に閉合させることを特徴とする、フロートスイッチのケーブル定着具。
【請求項２】
一方の半円筒体の上面に立設された板体と対向する他方の半円筒体上の板体は、その対向面間隔が伸縮自在となるよう、下端面が半円筒体上面と蟻溝構造で摺動可能に嵌合していることを特徴とする、請求項１記載のフロートスイッチのケーブル定着具。
【請求項３】
両半円筒体を円筒状に閉合させたとき、一方の半円筒体の上壁および下壁から導延された舌片が、他方の半円筒体の上壁下面および下壁上面へそれぞれ重ね合わされるよう構成したことを特徴とする、請求項１記載のフロートスイッチのケーブル定着具。
【請求項４】
両半円筒体を円筒状に閉合させたとき、一方の半円筒体の側端部から導延された弾性舌片が、他方の半円筒体の内周面へ当接するよう構成したことを特徴とする、請求項１記載のフロートスイッチのケーブル定着具。
【発明の詳細な説明】
【０００１】
【発明の技術分野】
本発明は水中ポンプの自動運転制御等に用いられるフロートスイッチのケーブル定着具に関するものである。
【０００２】
【従来技術とその問題点】
槽内水位が所定の上昇限に達したときに水中ポンプを起動させ、所定の下降限になれば水中ポンプを停止させるために、フロートスイッチその他の液面検出器が用いられることは周知の通りである。そして図９に示すよう、ケーブル１１２の導下部を挟持した係止体１０４と、槽底面上に沈設させた固定ウエイト１１１とを紐体Ｓで接続し、係止体１０４によるケーブル自由撓曲部１１２ｆの長さと、紐体Ｓの長さを調節することによって、液面の上限と下限の制御巾を設定することが一般に行われている。
【０００３】
しかしこのように、ケーブル自由撓曲部１１２ｆの長さと紐体Ｓの長さの双方を調節することは、手数が掛かり迅速な制御巾設定が行えないというだけではない。低水時には往々にして、ケーブル自由撓曲部１１２ｆが紐体Ｓに巻き付き、フロートスイッチ１１４の作動不能を惹起することがある。また、係止体１０４の機能を有する部材と、固定ウエイト１１１の機能を有する部材とを合体させたような構造のものを金属で作ろうとすれば、機械加工を施す部位が多いため極めて高価なものとなり、到底実用に供することはできないものになる。更にまた、汚水・汚物中での耐食性にも問題がある。
【０００４】
【発明の目的】
本発明は、槽底面上に固定ウエイトを沈設する必要がなく、該固定ウエイトを紐体で接続する必要もなく、ケーブル自由撓曲部の導出長さを調節するのみで液面の上限と下限の制御巾を任意に設定でき、かつ、汚水・汚物中での耐食性にも優れたフロートスイッチのケーブル定着具を、ローコストに提供することを目的としている。
【０００５】
【発明の構成】
本発明に係る請求項１記載のフロートスイッチのケーブル定着具では、合成樹脂で塑造されたウエイトホルダと、該ウエイトホルダ内に収容できるよう金属丸棒を切断したウエイト材とからなり、上記ウエイトホルダは、円筒体が縦方向に二つ割りでその一側部がヒンジ状の連接部となり、該ヒンジ状の連接部を支軸として円筒状に閉合されたとき衝き合わされる衝合部において、一方の半円筒体に付設された係止爪と対抗して、他方の半円筒体には係止孔が付設され、一方の半円筒体の上面に立設された板体と、他方の半円筒体上の板体との対向接合面間にケーブル挟着機構が形成されるよう、両板体にそれぞれケーブル圧入溝を凹設し、一方の板体に付設された係止爪と対抗して、他方の板体には係止孔が付設され、かつ、両板体に締付用ビス孔が穿設されており、半円筒体の内面にウエイト材を収容した状態で、各係止爪をそれぞれ対抗する係止孔に係合させて両半円筒体を円筒状に閉合させるよう構成した。
【０００６】
また、請求項２記載の発明では、請求項１記載のフロートスイッチのケーブル定着具を前提として、一方の半円筒体の上面に立設された板体と対向する他方の半円筒体上の板体は、その対向面間隔が伸縮自在となるよう、下端面が半円筒体上面と蟻溝構造で摺動可能に嵌合している。
【０００７】
また、請求項３記載の発明では、請求項１記載のフロートスイッチのケーブル定着具を前提として、両半円筒体を円筒状に閉合させたとき、一方の半円筒体の上壁および下壁から導延された舌片が、他方の半円筒体の上壁下面および下壁上面へそれぞれ重ね合わせるよう構成した。
【０００８】
また、請求項４記載の発明では、請求項１記載のフロートスイッチのケーブル定着具を前提として、両半円筒体を円筒状に閉合させたとき、一方の半円筒体の測端部から導延された弾性舌片が、他方の半円筒体の内周面へ当接するよう構成した。
【０００９】
【操作】
ケーブル圧入溝にケーブルを圧入し両板体を閉合して係止爪を係止孔に係合させた状態で、ビスをビス孔に挿入してナット締めを施せば、ケーブルはケーブル挟着機構によって定着されることになる。この定着部からフロートスイッチの接続部に至るケーブル可撓部の長さを変更する場合は、ナット締めおよび係止爪の係合を解除して両板体を僅かに離隔させ、ケーブルの定着位置を所望の位置までスライドさせて再び係止爪の係合とナット締めを施す。このようにしてフロートスイッチの動作巾、つまり、液面の上限と下限の制御巾が任意に設定されることになる。
【００１０】
【実施例】
以下実施例の図１ないし図８により説明をする。
【００１１】
１は合成樹脂で塑造されたウエイトホルダであり、円筒体が縦方向に二つ割りでその一側部がヒンジ状の連接部２となり、該ヒンジ状の連接部２を支軸として円筒状に閉合されたときに衝き合わされる衝合部において、一方の半円筒体１ａに凸設された係止爪３ａと対抗して、他方の半円筒体１ｂには係止孔が穿設され、また、一方の半円筒体１ａの上面に立設された板体４ａと、他方の半円筒体１ｂ上の板体４ｂとの対向接合面間にケーブル挟着機構４を形成させるように、両板体４ａ，４ｂにそれぞれケーブル圧入溝５が凹設されており、かつ、両板体４ａ，４ｂに締付用ビス孔６が穿設されている。
【００１２】
一方の半円筒体１ａの上面に立設された板体４ａと対向する他方の半円筒体１ｂ上の板体４ｂは、その対向面間隔が伸縮自在となるよう、実施例の図面では、下端面が半円筒体１ｂ上面と蟻溝構造７で摺動可能に嵌合した態様に示されているが、必ずしもこの構造に限られるものではない。８ａは一方の板体４ａに凸設された係止爪であり、該係止爪８ａと対抗して、他方の板体４ｂには係止孔８ｂが穿設されている。
【００１３】
９は一方の半円筒体１ａの上壁および下壁から導延された舌片であり、両半円筒体１ａ、１ｂを円筒状に閉合させたとき、他方の半円筒体１ｂの上壁下面および下壁上面へそれぞれ重ね合わされるような構造となっている。１０は一方の半円筒体１ａの側端部から導延された弾性舌片であり、両半円筒体１ａ、１ｂを円筒状に閉合させたとき、他方の半円筒体１ｂの内周面へ当接する構造となっている。
【００１４】
１１は金属製のウエイト材であり、ウエイトホルダ１の内径とほぼ同径の引抜き金属丸棒を、円筒体内へ収容される長さに切断して作られている。そして組立て時には、半円筒体１ａ、１ｂの内面に必要に応じ接着剤を塗布しウエイト材１１を収容した状態で、係止爪３ａを係止孔３ｂに係合させて両半円筒体１ａ、１ｂを円筒状に閉合させるのであるが、前述の舌片９が設けられている場合には、ウエイトホルダ１の接合性と補強性が増大される。また、弾性舌片１０が併設されている場合には、上記接合性と補強性の増大と共に、ウエイト材１１を押圧状に定着させてウエイトホルダ１内でのウエイト材１１の動きを止めるのに有効である。
【００１５】
このようにして組立てられたケーブル定着具の使用時には、両板体４ａ、４ｂの対向面間に形成されるケーブル圧入溝５にケーブル１２を圧入し両板体４ａ、４ｂを閉合して係止爪８ａを係止孔８ｂに係合させた状態で、締着用ビス１３をビス孔６に挿入してナット締めを施せば、ケーブル１２は挟着機構４によって定着されることになり、この定着部からフロートスイッチ１４の接続部に至るケーブル可撓部１２ｆの長さを変更する場合は、係止爪８ａの引っ掛かりを指で撮んで係止孔８ｂとの係合を解除すると共に、ナット締めを解除して両板体４ａ、４ｂを僅かに離隔させ、ケーブル１２の定着位置を所望の位置までスライドさせて再び係止爪８ａの係合とナット締めを施せばよい。このようにしてフロートスイッチ１４の動作巾、つまり、液面の上限と下限の制御巾が任意に設定されることになる。
【００１６】
【発明の効果】
本発明定着具をフロートスイッチのケーブル定着に用いれば、槽底面上に従来のような固定ウエイトを沈設する必要がなく、かつ、該固定ウエイトを紐体で接続する必要もなく、ケーブル自由撓曲部の導出長さを挟着機構部で調節するのみで液面の上限と下限の制御巾を任意に設定できるという利点がある。また、このようなケーブル挟着機構部とウエイト部が一体化された定着具を金属で作ろうとすれば、機械加工を施す部位が多いため極めて高価となるものであるが、本発明定着具では、ウエイト材は市販の引抜き金属丸棒を所定長さに切断するのみであって他に機械加工を要する部位は存在せず、かつ、ケーブル挟着機構部とウエイトホルダ部とが一体成型に塑造できるため、極めてローコストに生産し得られるのである。そして、外面が樹脂で覆われ耐食性に優れているため、汚水・汚物中で使用される水中ポンプの運転制御用フロートスイッチのケーブル定着具として好適である。
【図面の簡単な説明】
【図１】本発明ケーブル定着具の正面図である。
【図２】本発明ケーブル定着具の側面図である。
【図３】本発明ケーブル定着具の平面図である。
【図４】本発明ケーブル定着具を構成するウエイトホルダの内側面図である。
【図５】図４のＡ−Ａ線における横断平面図である。
【図６】本発明ケーブル定着具を構成するウエイト材の斜視図である。
【図７】フロートスイッチのケーブル導下部を本発明ケーブル定着具により定着させた状態を示す側面図である。
【図８】本発明ケーブル定着具を用いてケーブル導下部を定着させたフロートスイッチの昇降作動態様を示す説明図である。
【図９】従来の係止体と固定ウエイトを用いたフロートスイッチの昇降作動態様を示す説明図である。
【符号の説明】
１      ウエイトホルダ
１ａ    一方の半円筒体
１ｂ    他方の半円筒体
２      ヒンジ状の連接部
３ａ    係止爪
３ｂ    係止孔
４      ケーブル挟着機構
４ａ    一方の板体
４ｂ    他方の板体
５      ケーブル圧入溝
６      締付用ビス孔
７      蟻溝構造
８ａ    係止爪
８ｂ    係止孔
９      舌片
１０    弾性舌片
１１    ウエイト材
【図１】
0003766954.tif 000002
【図２】
0003766954.tif 000003
【図３】
0003766954.tif 000004
【図４】
0003766954.tif 000005
【図５】
0003766954.tif 000006
【図６】
0003766954.tif 000007
【図７】
0003766954.tif 000008
【図８】
0003766954.tif 000009
【図９】
0003766954.tif 000010